(57)【要約】【目的】特定の人物像が含まれている被写体像を検出する。【構成】指紋に対応して被写体像がキー画像としてあらかじめ登録されている。指紋が読み取られると，その指紋に対応した被写体像130がキー画像表示領域111に表示される。被写体像130に含まれている顔画像131がキー顔画像表示領域116に表示される。その顔画像131に類似した顔画像を含む被写体像が画像記憶装置の中から見つけられる。見つけられた被写体像に含まれている顔画像が顔画像表示領域117に表示される。指紋を用いて特定の人物の被写体像を見つけ出すことができる。【選択図】図８
2008084277.tif 000002
【特許請求の範囲】
【請求項１】
指紋に対応して，特定の人物像を表わすキー画像データを記憶するキー画像データ記憶手段，
指紋を読み取る指紋読み取り装置，
上記指紋読み取り装置を用いて読み取られた指紋に対応するキー画像データを上記キー画像データ記憶手段から読み取るキー画像データ読み取り手段，
上記キー画像データ読み取り手段を用いて読み取られたキー画像データによって表わされるキー画像に含まれている人物像との類似度が所定のしきい値以上の人物像が含まれている被写体像データを画像データベースの中から抽出する第１の抽出手段，および
上記第１の抽出手段によって抽出された被写体像データによって表わされる被写体像を表示画面に表示するように表示装置を制御する第１の表示制御手段，
を備えた画像検出装置。
【請求項２】
上記キー画像データ記憶手段は，指ごとの指紋に対応して上記キー画像データを記憶するものであり，
上記キー画像データ読み取り手段は，上記指紋読み取り装置を用いて読み取られた指の指紋に対応するキー画像データを上記キー画像データ記憶手段から読み取るものである，
請求項１に記載の画像検出装置。
【請求項３】
上記表示装置に被写体像が表示された後に上記指紋読み取り装置において指紋が読み取られたかどうかを判定する第１の判定手段，
上記第１の判定手段によって指紋が読み取られたと判定されたことに応じて，読み取られた前回の指紋と今回の指紋とが同一かどうかを判定する第２の判定手段，および
上記第２の判定手段により同一と判定されたことにより上記抽出手段における抽出処理に用いられるしきい値を前回の値よりも高くして上記抽出処理を行うように上記抽出手段を制御する抽出制御手段，
をさらに備えた請求項１に記載の画像検出装置。
【請求項４】
上記表示装置に被写体像が表示された後に上記指紋読み取り装置において指紋が読み取られたかどうかを判定する第１の判定手段，
上記第１の判定手段によって指紋が読み取られたと判定されたことに応じて，読み取られた前回の指紋と今回の指紋とが同一ではないかどうかを判定する第２の判定手段，
上記第２の判定手段により同一ではないと判定されたことにより，読み取られた前回の指紋に対応するキー画像に含まれている人物像に類似する人物像と読み取られた今回の指紋に対応するキー画像に含まれている人物像に類似する人物像とを共通に含む被写体像を表わす被写体像データを上記画像データベースの中から抽出する第２の抽出手段，および
上記第２の抽出手段によって抽出された被写体像データによって表わされる被写体像を上記表示画面に表示するように上記表示装置を制御する第２の表示制御手段，
をさらに備えた請求項１に記載の画像検出装置。
【請求項５】
キー画像データ記憶手段が，指紋に対応して，特定の人物像を表わすキー画像データを記憶し，
指紋読み取り装置が，指紋を読み取り，
キー画像データ読み取り手段が，上記指紋読み取り装置を用いて読み取られた指紋に対応するキー画像データを上記キー画像データ記憶手段から読み取り，
抽出手段が，上記キー画像データ読み取り手段を用いて読み取られたキー画像データによって表わされるキー画像に含まれている人物像との類似度が所定のしきい値以上の人物像が含まれている被写体像データを画像データベースの中から抽出し，
表示制御手段が，上記抽出手段によって抽出された被写体像データによって表わされる被写体像を表示画面に表示するように表示装置を制御する，
画像検出装置の制御方法。
【請求項６】
指紋を読み取る指紋読み取らせ，
読み取られた指紋に対応するキー画像データを，指紋に対応して，特定の人物像を表わすキー画像データを記憶するキー画像データ記憶装置から読み取らせ，
読み取られたキー画像データによって表わされるキー画像に含まれている人物像との類似度が所定のしきい値以上の人物像が含まれている被写体像データを画像データベースの中から抽出させ，
抽出された被写体像データによって表わされる被写体像を表示画面に表示するように表示装置を制御させるように画像検出装置を制御するプログラム。
【請求項７】
請求項６に記載のプログラムを格納した記録媒体。
【発明の詳細な説明】
【技術分野】
【０００１】
この発明は，画像検出装置ならびにその制御方法およびその制御プログラムに関する。
【背景技術】
【０００２】
パーソナル・コンピュータなどでは，使用する権限のあるユーザかどうかを，指紋を用いて認証するものがある。指紋を読み取る装置は比較的高価であるためにユーザ認証に利用するだけでは費用対効果の面であまり好ましくない。このために，指紋を用いてユーザ認証するだけでなく指紋を読み取り,読み取られた指紋に対応した文字を入力できるような装置もある（特許文献１）。
【特許文献１】特開2003-76482号公報
【０００３】
また，指紋認証と顔認証とを組み合わせてユーザ認証を行うものもある(特許文献２,３)。
【特許文献２】特開2004-355088号公報
【特許文献３】特開2006-114018号公報
【０００４】
ディジタル・スチル・カメラが普及するにつれてユーザが撮影する写真(画像)の枚数が増加しており，写真の分類，検索が難しくなってきている。このために被写体像の中の人物像に着目して写真の分類，検索を行うものもある（特許文献４）。
【特許文献４】特開2005-174308号公報
【０００５】
この発明は，指紋を読み取る装置を用いて，特定の人物像が含まれている被写体像を検出できるようにすることを目的とする。
【０００６】
この発明による画像検出装置は，指紋に対応して，特定の人物像を表わすキー画像データを記憶するキー画像データ記憶手段，指紋を読み取る指紋読み取り装置，上記指紋読み取り装置を用いて読み取られた指紋に対応するキー画像データを上記キー画像データ記憶手段から読み取るキー画像データ読み取り手段，上記キー画像データ読み取り手段を用いて読み取られたキー画像データによって表わされるキー画像に含まれている人物像との類似度が所定のしきい値以上の人物像が含まれている被写体像データを画像データベースの中から抽出する第１の抽出手段，および上記第１の抽出手段によって抽出された被写体像データによって表わされる被写体像を表示画面に表示するように表示装置を制御する第１の表示制御手段を備えていることを特徴とする。
【０００７】
この発明は，上記画像検出装置に適した制御方法も提供している。すなわち，この方法は，キー画像データ記憶手段が，指紋に対応して，特定の人物像を表わすキー画像データを記憶し，指紋読み取り装置が，指紋を読み取り，キー画像データ読み取り手段が，上記指紋読み取り装置を用いて読み取られた指紋に対応するキー画像データを上記キー画像データ記憶手段から読み取り，抽出手段が，上記キー画像データ読み取り手段を用いて読み取られたキー画像データによって表わされるキー画像に含まれている人物像との類似度が所定のしきい値以上の人物像が含まれている被写体像データを画像データベースの中から抽出し，表示制御手段が，上記抽出手段によって抽出された被写体像データによって表わされる被写体像を表示画面に表示するように表示装置を制御するものである。
【０００８】
この発明は，上記画像検出装置の制御方法を実施するためのプログラムおよびそのプログラムが格納された記録媒体も提供している。
【０００９】
この発明によると，指紋に対応して，特定の人物像を表わすキー画像データがキー画像データ記憶手段に記憶されている。指紋が読み取られると，読み取られた指紋に対応したキー画像データがキー画像データ記憶手段から読み取られる。読みら取れたキー画像データによって表わされるキー画像に含まれている人物像（顔画像）に類似する人物像が含まれている被写体像を表わす被写体像データが画像データベース（キー画像データ記憶手段と同一でもよい）から抽出される。抽出された被写体像データによって表わされる被写体像が表示装置の表示画面に表示される。読み取られた指紋に対応した人物像が含まれている被写体像（または人物像そのもの，顔画像など）を画像データベースから抽出して表示できるようになる。キー画像も表示装置の表示画面に表示するようにしてもよい。
【００１０】
上記キー画像データ記憶手段は，指ごと（親指，人差し指，中指，薬指，小指ごと）の指紋に対応して上記キー画像データを記憶するものでもよい。この場合，上記キー画像データ読み取り手段は，上記指紋読み取り装置を用いて読み取られた指の指紋に対応するキー画像データを上記キー画像データ記憶手段から読み取るものとなろう。
【００１１】
上記表示装置に被写体像が表示された後に上記指紋読み取り装置において指紋が読み取られたかどうかを判定する第１の判定手段，上記第１の判定手段によって指紋が読み取られたと判定されたことに応じて，読み取られた前回の指紋と今回の指紋とが同一かどうかを判定する第２の判定手段，および上記第２の判定手段により同一と判定されたことにより上記抽出手段における抽出処理に用いられるしきい値を前回の値よりも高くして上記抽出処理を行うように上記抽出手段を制御する抽出制御手段をさらに備えるようにしてもよい。キー画像により類似した被写体像を抽出できるようになる。
【００１２】
上記表示装置に被写体像が表示された後に上記指紋読み取り装置において指紋が読み取られたかどうかを判定する第１の判定手段，上記第１の判定手段によって指紋が読み取られたと判定されたことに応じて，読み取られた前回の指紋と今回の指紋とが同一ではないかどうかを判定する第２の判定手段，上記第２の判定手段により同一ではないと判定されたことにより，読み取られた前回の指紋に対応するキー画像に含まれている人物像に類似する人物像と読み取られた今回の指紋に対応するキー画像に含まれている人物像に類似する人物像とを共通に含む被写体像を表わす被写体像データを上記画像データベースの中から抽出する第２の抽出手段，および上記第２の抽出手段によって抽出された被写体像データによって表わされる被写体像を上記表示画面に表示するように上記表示装置を制御する第２の表示制御手段をさらに備えるようにしてもよい。異なる人物像が含まれている被写体像を抽出できるようになる。
【実施例】
【００１３】
図１は，この発明の実施例を示すもので，画像検索装置の電気的構成を示すブロック図である。
【００１４】
画像検索装置の全体の動作は，制御装置５によって統括される。
【００１５】
この実施例による画像検索装置は，指紋ごとに人物像が含まれているキー画像があらかじめ登録され，指紋が読み取られることによりそのキー画像に含まれている人物像と同一と考えられる人物像が含まれている被写体像を検出するものである。指紋ごとにキー画像が異なっており，読み取られた指紋に応じて異なる人物像が含まれている被写体像を検出し，分類できる。
【００１６】
画像検索装置には，画像検索装置にコマンド等を入力するためのキーボード，マウスなどのユーザ・インターフェイス１，多数の被写体像を表わす画像データが格納されている画像記憶装置２（画像データベース），被写体像等を表示する表示装置３，指紋を読み取る指紋読み取り装置４，被写体像の中から顔画像の領域を検出する顔領域検出装置６，同一人物像を見つけ出すために顔画像の類似度を検出する顔類似度判別装置７，顔類似度を判別するためのしきい値を調節する顔類似度判別閾値調節装置８，登録されている指紋の特徴を表わすデータを記憶する指紋特徴装置９，指紋／顔類似度条件演算装置10, 指紋ごとにキー画像を表わす画像データを記憶する指紋別キー画像記憶装置11，および顔画像が類似している被写体像のリストを記憶する顔類似画像記憶装置12が含まれている。さらに，画像検索装置には，CD-ROM（コンパクト・ディスク−リード・オンリ・メモリ）ドライブ13が含まれている。このCD-ROMドライブ13に，後述する動作プログラムが格納されているCD-ROM14が装填されることにより，CD-ROM14に格納されている動作プログラムが読み取られ，制御装置５にインストールされる。
【００１７】
図２は，指紋登録処理手順を示すフローチャートである。図３ならびに図４（Ａ）〜（Ｅ）は，表示装置３の表示画面に表示されるウインドウの一例である。
【００１８】
ユーザ・インターフェイス１から指紋登録コマンドが入力されると表示画面には図３に示すキー画像選択ウインドウ30が表示される。このキー画像選択ウインドウ30には多数の被写体像が表示されており，その表示されている被写体像の中から指紋に対応付けるキー画像として登録する被写体像が選択される（ステップ21）。
【００１９】
図３を参照して，キー画像選択ウインドウ30には，メニュー領域31および被写体像表示領域36が含まれている。
【００２０】
被写体像表示領域36には，画像記憶装置２に記憶されている多数の画像データによって表わされる被写体像37が表示されている。図３においては，６駒の被写体像37が表示されているが，スクロールされることによりさらに多くの被写体像が被写体像表示領域36に表示される。被写体像37がクリックされることによりそのクリックされた被写体像37が選択されたこととなる。
【００２１】
メニュー領域31には，「ファイルを開く」の文字が表示されている領域32，「指紋を登録する」の文字が表示されている領域33，「ファイル・サイズを確認する」の文字が表示されている領域34，「ファイルの名前を確認する」の文字が表示されている領域35などが含まれている。領域32がクリックされることにより，選択されている被写体像が拡大して表示される。領域33がクリックされることにより，選択されている被写体像がキー画像となる指紋登録処理が行われる。領域34がクリックされることにより，選択されている被写体像のファイル・サイズ（画像データ量）を表示するウインドウが現れる。領域35がクリックされることにより，選択されている被写体像のファイル名を変更するウインドウが現れる。
【００２２】
図２に戻って，指紋登録処理が行われる場合には領域33がクリックされて指紋登録処理が選択される（ステップ22）。その後，いずれかの指の指紋が指紋読み取り装置４によって読み取られる（ステップ23）。
【００２３】
図４（Ａ）に示すように，領域33がクリックされ指紋登録処理が選択されると第１の指紋登録ウインドウ40が表示装置３の表示画面に現れる。第１の指紋登録ウインドウ40には，「登録したい指をスキャンしてください」という文字のほかに中止領域41および再試行領域42が含まれている。第１の指紋登録ウインドウ40に表示されている文字を見たユーザは，自分の指の指紋を指紋読み取り装置４によって読み取らせる。中止領域41は，指紋読み取りを中止する場合にユーザによってクリックされる領域である。再試行領域42は，指紋の読み取りができなかった場合に再度行う場合にユーザによってクリックされる領域である。
【００２４】
指紋がスキャンされると，読み取られた指紋がデータ化されて指紋記憶装置９に記憶される。この記憶中に，図４（Ｂ）に示す第２の指紋登録ウインドウ43が表示装置３の表示画面に表示される。第２の指紋登録ウインドウ43には「指紋登録中」の文字のほかに中止領域41および再試行領域42が含まれている。
【００２５】
指紋記憶装置９に指紋データが記憶されると，表示装置３の表示画面には図４（Ｃ）に示す第３の指紋登録ウインドウ44が表示される。第３の指紋登録ウインドウ44には「指紋登録完了！」の文字のほかに中止領域41および再試行領域42が含まれている。
【００２６】
指紋記憶装置９に指紋データが記憶されずに失敗すると，表示装置３の表示画面には図４（Ｄ）に示す第４の指紋登録ウインドウ45が表示される。第４の指紋登録ウインドウ44には「指紋登録に失敗しました！リトライしますか？」の文字のほかに「はい」の文字が表示されている領域46および「いいえ」の文字が表示されている領域47が含まれている。再度指紋登録処理をユーザが行う場合には，領域46がクリックされ，指紋登録処理をやめる場合には領域47がクリックされる。
【００２７】
指紋登録が完了すると表示装置３の表示画面には図４（Ｅ）に示す第５の指紋登録ウインドウ48が表示される。第５の指紋登録ウインドウ48には，「指紋登録完了！続けて登録しますか？」の文字のほかに「はい」の文字が表示されている領域49，「いいえ」の文字が表示されている領域50および「キャンセル」の文字が表示されている領域51が含まれている。続けて登録する場合には領域49がクリックされ，やめる場合には領域50がクリックされ，登録した指紋データをキャンセルする場合には領域51がクリックされる。
【００２８】
再び図２に戻って，指紋が正しく読み取られると（ステップ24でＹＥＳ），別の指の指紋を登録する場合には（ステップ25でＹＥＳ），ステップ21からの処理が繰り返される。指紋が正しく読み取られないと（ステップ24でＮＯ），リトライする場合には（ステップ26でＹＥＳ），再び指紋が読み取られる（ステップ23）。
【００２９】
図５は，上述のようにして登録された指紋と指紋に対応して選択されたキー画像等との関係を示すテーブルである。このテーブルは，指紋別キー画像記憶装置11に記憶される。
【００３０】
テーブルには，指紋（指紋の特徴を表わすデータ）に対応してキー画像（キー画像データ），顔抽出パラメータおよび人物名（人物名を表わすデータ）が記憶されている。指紋の特徴を表わすデータは，上述のように指紋記憶装置９に記憶されており，指紋別キー画像記憶装置11に記憶されているテーブルに格納されている指紋の特徴を表わすデータと関連付けられている。もっとも，指紋記憶装置９に指紋の特徴を表わすデータを記憶させないで，指紋別キー画像記憶装置11にのみ記憶させるようにしてもよい。
【００３１】
顔抽出パラメータは，キー画像に含まれている顔画像の特徴を表わすパラメータであり，両目の位置，目の感覚，目の大きさの比率などである。顔抽出パラメータは，選択されたキー画像の中に含まれている顔画像が顔領域検出装置６において検出されることにより得られる。人物名は，キー画像に含まれている人物像が表わす人物の氏名であり，ユーザによってユーザ・インターフェイスから入力される。
【００３２】
図５に示すように異なった指（同一人の指でも異なった人物の指でも指が異なっていればよい）の指紋ごとにキー画像が対応付けられて記憶されている。たとえば，「特許太郎」さんの右手の親指の指紋に対応して「特許太郎」さんの人物像が含まれているキー画像61が記憶されている。同様に，「特許太郎」さんの右手の人差し指の指紋に対応して「特許花子」さんの人物像が含まれているキー画像62が記憶されている。そのほかの指の指紋についても同様に，それぞれの指の指紋に対応してキー画像63〜66が記憶されている。また，「実用一郎」さんの右手の親指の指紋に対応して「実用一郎」さんの人物像が含まれているキー画像71が記憶され，同様にキー画像72，73などが記憶されている。
【００３３】
このように，指の指紋ごとに対応するキー画像が記憶されている。指紋が読み取られることにより，その指紋に対応したキー画像がわかり，キー画像に含まれている顔画像と同一または類似の顔画像が含まれている被写体像を見つけ出すことができるようになる。指紋を読み取らせるべき指を変えるだけで，見つけ出す人物像を変えることができる。上述の実施例においては同一のユーザであっても指が異なれば異なるキー画像が記憶されているが，同一のユーザの指から得られる指紋であれば，指の種類にかかわらず同一のキー画像を記憶するようにしてもよい。
【００３４】
図６および図７は，顔分類の処理手順を示すフローチャートである。顔分類は，上述したように，指紋ごとに対応付けられて記憶されているキー画像に含まれている顔画像と同一または類似の顔画像が含まれている被写体像を画像記憶装置２から検出して表示するものである。図８から図11は，表示装置３の表示画面に表示されるウインドウの一例である。
【００３５】
顔分類指令コマンドが画像検索装置に与えられると，指紋読み取り装置４によって指紋読み取りが行われる（ステップ81）。指紋が読み取られると（ステップ81でＹＥＳ），読み取られた指紋が画像検索装置に登録されているかどうか，すなわち，読み取られた指紋の特徴を表わすデータが指紋別キー画像記憶装置３に記憶されているかどうかが確認される（ステップ82）。
【００３６】
読み取られた指紋が画像検索装置に登録されていると（ステップ82でＹＥＳ），読み取られた指紋に対応して記憶されているキー画像が第１の指示画像としてセットされ，かつそのキー画像が表示装置３の表示画面上に表示される。
【００３７】
図８は，表示装置３の表示画面に表示される顔抽出ウインドウ110の一例である。
【００３８】
顔抽出ウインドウ110には，キー画像表示領域111，キー顔画像表示領域116，および顔類似画像表示領域117が含まれている。また，顔抽出ウインドウ110には，類似度閾値表示領域112および類似度閾値スライダ151も含まれている。キー顔画像表示領域116の左上にはサムネイル・タブ114およびフェイス・タブ115が付けられている。
【００３９】
キー画像表示領域111は，上述のように読み取られた指紋に対応して指紋別キー画像記憶装置３に記憶されているキー画像170が表示される領域である。キー顔画像表示領域116は，キー画像表示領域111に表示されているキー画像170に含まれている顔画像131が表示される領域である。顔類似画像表示領域117は，キー画像170に含まれている顔画像131に類似する顔画像121〜125などが表示される領域である。これらの顔画像121〜125などは,画像記憶装置２に記憶されている被写体像のそれぞれの被写体像の一部として含まれているものである。
【００４０】
類似度閾値表示領域112は，キー画像170に含まれている顔画像131に類似する顔画像を検出する場合に用いられる閾値が表示される領域である。類似度スライダ151は，ユーザがマウスを用いてドラッグすることによりスライドさせることができるもので，スライドさせることにより類似する顔画像を検出する場合に用いられる閾値が変わる。スライダ151の上には閾値152も表示されている。
【００４１】
サムネイル・タブ114は，顔画像表示から，その顔画像が含まれている被写体像のサムネイル画像を表示するウインドウ（図９参照）に切り替えるときにユーザによってクリックされるタブである。フェイス・タブは，逆に被写体像のサムネイル画像の表示から被写体像に含まれている顔画像を表示するウインドウ110に切り替えるときにユーザによってクリックされるタブである。
【００４２】
図６に戻って，上述したように指紋に対応したキー画像が第１の指示画像としてセットされてキー画像表示領域111に表示されると（ステップ83），第１の指示画像（キー画像170）の顔画像が拡大されてキー顔画像表示領域116に表示される（顔画像131）（ステップ84）。続いて，第１の指示画像（キー画像170）の顔画像（キー顔画像131）に類似する顔画像が含まれている被写体像が画像記憶装置２の中から見つけ出され，見つけ出された被写体像の中に含まれている顔画像（顔画像121〜125など）が顔類似画像表示領域117に表示される（ステップ85）。顔画像に類似する顔画像があるかどうかは，上述したように顔抽出パラメータを用いた公知の顔画像検出処理によって行われる。類似度が所定の閾値以上であれば，顔画像同士が類似すると判定される。この顔画像類似度の判別処理は顔類似度判別装置７によって行われる。
【００４３】
上述したように，図８に示すウインドウ110が表示されている場合においてサムネイル・タブ114がクリックされると，図９に示すサムネイル画像ウインドウ120が表示される。
【００４４】
サムネイル画像ウインドウ120には，サムネイル画像表示領域140が含まれている。このサムネイル画像表示領域140に，上述した顔抽出ウインドウ110の顔類似画像表示領域117に表示されていた顔画像121〜125などが含まれている被写体像のサムネイル画像141〜145が表示される。フェイス・タブ115がクリックされると，サムネイル画像ウインドウ120から顔抽出ウインドウ110に表示が切り替わる。
【００４５】
図７を参照して，指紋読み取り装置４によって再び指紋が読み取られると（ステップ86でＹＥＳ），読み取られた指紋が画像検索装置に登録されているかどうか再び判定される（ステップ87）。登録されていると（ステップ87でＹＥＳ），すでに読み取られた指紋と同じ指紋かどうかが判定される（ステップ88）。
【００４６】
同じ指紋であれば（ステップ88でＹＥＳ），顔類似度判別閾値調節装置８によって閾値が１段階上げられる（ステップ89）。類似度閾値表示領域112に表示されている値，スライダ151の位置，表示されている閾値152の値もそれぞれ変わるのはいうまでもない。１段階上げられた閾値を用いて，第１の指示画像の顔画像に類似する顔画像が含まれている被写体像が見つけ出され，上述のようにそれらの被写体像に含まれている顔画像が表示される（ステップ90）。閾値が上がるので，キー顔画像により類似した顔画像が表示されることとなる。閾値が限界でなければ（ステップ91でＮＯ），再びステップ86の処理から繰り返される。
【００４７】
再び読み取られた指紋がすでに読み取られた指紋と同じでなければ（ステップ88でＮＯ），アンド検索を行うかどうかが確認される（ステップ92）。アンド検索は，一度目に読み取られた指紋に対応するキー画像（第１の指示画像）に含まれている顔画像に類似する顔画像と二度目に読み取られた指紋に対応するキー画像（第２の指示画像）に含まれている顔画像に類似する顔画像とが共通に含まれている被写体像を見つけ出し，それらの被写体像に含まれている顔画像を表示するものである。アンド検索を行うかどうかはユーザ・インターフェイス１から与えられるコマンドにもとづいて決定してもよいし，上述した顔抽出ウインドウ110にアンド検索指令を与えるための領域を設け，その領域がクリックされたことによりアンド検索指令が画像検索装置に与えられるようにしてもよい。
【００４８】
アンド検索が行われる場合には（ステップ92でＹＥＳ），すでに見つけられた被写体像の中から第２の指示画像に含まれる顔画像に類似する顔画像が含まれている被写体像が見つけられ,見つけられた被写体像が表示される（ステップ93）。
【００４９】
図10は，アンド検索が行われる場合に表示装置３の表示画面に表示される顔抽出ウインドウ150の一例である。
【００５０】
顔抽出ウインドウ150には，上述したウインドウ110と同様に，キー画像表示領域111，キー顔画像表示領域116および顔画像表示領域117ならびに類似度閾値表示領域151およびスライダ151が含まれている。キー画像表示領域111には，第１の指示画像170が表示されているが，第１の指示画像170と第２の指示画像171との両方の画像が表示されてもよいし，第２の指示画像が表示されてもよい。キー顔画像表示領域116には，第１の指示画像170に含まれている顔画像の拡大画像131と第２の指示画像に含まれている顔画像の拡大画像132とが表示される。顔画像表示領域117には，顔画像131に類似した顔画像と顔画像132に類似した顔画像とが共通して含まれている被写体像の中から抽出された顔画像126が表示されている。いずれかの顔画像126がクリックされると，そのクリックされた顔画像126を含む被写体像が表示されるウインドウ（図11参照）が表示装置３の表示画面に表示される。
【００５１】
図11を参照して，ウインドウ160内に，顔画像131に類似する顔画像と顔画像132に類似する顔画像とが共通に含まれている被写体像161の表示ウインドウ161が現れる。このようにして，顔画像131に類似する顔画像と顔画像132に類似する顔画像とを共通にもつ被写体像を見つけ出すことができるようになる。
【００５２】
図７に戻って，アンド検索が行われない場合には（ステップ92でＮＯ），二度目に読み取られた指紋に対応するキー画像が第２の指示画像としてセットされ，キー画像表示領域111に表示される。第２の指示画像に含まれている顔画像がキー顔画像表示領域116に表示される。さらに，第２の指示画像に含まれている顔画像に類似する顔画像が含まれている被写体像が見つけ出されて，その見つけ出された被写体像に含まれている顔画像が顔画像表示領域117に表示されることとなる（ステップ94）。このように，異なる指紋に対応したキー画像に含まれている顔画像に類似した顔画像（被写体像）を見つけ出すこともできる。
【００５３】
読み取られた指紋が画像検索装置に登録されていない場合には（ステップ82または87でＮＯ），エラー・メッセージが表示画面に表示される（ステップ97または100）。指紋が読み取られずに（ステップ81または86でＮＯ），中止コマンドの入力などにより顔分類（顔画像の検出）が中止させられる場合には（ステップ95または98でＹＥＳ），中止メッセージが表示画面に表示される（ステップ96または99）。
【図面の簡単な説明】
【００５４】
【図１】画像検索装置の電気的構成を示すブロック図である。
【図２】指紋登録処理手順を示すフローチャートである。
【図３】表示されるウインドウの一例である。
【図４】（Ａ）から（Ｅ）は表示されるウインドウの一例である。
【図５】画像検索装置に記憶されているテーブルの一例である。
【図６】顔分類処理手順を示すフローチャートである。
【図７】顔分類処理手順を示すフローチャートである。
【図８】表示されるウインドウの一例である。
【図９】表示されるウインドウの一例である。
【図１０】表示されるウインドウの一例である。
【図１１】表示されるウインドウの一例である。
【符号の説明】
【００５５】
３  表示装置
４  指紋読み取り装置
５  制御装置
６  顔領域検出装置
７  顔類似度判別装置
11  指紋別キー画像記憶装置
13  CD-ROMドライブ
14  CD-ROM
【図１】
2008084277.tif 000003
【図２】
2008084277.tif 000004
【図３】
2008084277.tif 000005
【図４】
2008084277.tif 000006
【図５】
2008084277.tif 000007
【図６】
2008084277.tif 000008
【図７】
2008084277.tif 000009
【図８】
2008084277.tif 000010
【図９】
2008084277.tif 000011
【図１０】
2008084277.tif 000012
【図１１】
2008084277.tif 000013